(57)【要約】【課題】効率的な換気を実現すべく換気装置の作動を機器や室内環境の状態に応じて自動制御する室内換気システムにおいて、監視装置などの追加の構成を必要とすること無く合理的且つ廉価な構成を採用しながら、換気装置の換気不良を適切に自己診断して、利用者に対して換気不良の要因排除を促し、室内環境の更なる悪化を未然に防止することができる技術を提供する。【解決手段】換気装置の作動中において、機器作動判定手段及び室内環境判定手段により機器が作動しておらず且つ室内環境が悪化状態である機器停止環境悪化状態であると判定した場合に、換気装置の換気不良の発生を診断して所定の注意報を出力する換気不良診断処理を実行する。【選択図】図５
2014238224.tif 000002
【特許請求の範囲】
【請求項１】
作動に伴って室内環境の悪化を促進させる機器を設置した室内の換気を行う換気装置と、
前記機器の作動を判定する機器作動判定手段と、
前記室内環境の悪化状態を判定する室内環境判定手段と、
前記機器作動判定手段及び前記室内環境判定手段の判定結果に基づいて、前記換気装置の作動を制御する制御手段と、を備えた室内換気システムであって、
前記制御手段が、前記換気装置の作動中において、前記機器作動判定手段及び前記室内環境判定手段により前記機器が作動しておらず且つ前記室内環境が悪化状態である機器停止環境悪化状態であると判定した場合に、前記換気装置の換気不良の発生を診断して所定の注意報を出力する換気不良診断処理を実行する室内換気システム。
【請求項２】
前記制御手段が、前記換気不良診断処理において、前記換気装置を最大換気量で作動させる最大換気運転を実行し、当該最大換気運転の実行時間が所定の設定実行時間に達するまでに前記機器停止環境悪化状態が解消されなかった場合に、前記換気不良が発生していと判断して前記注意報を出力する請求項１に記載の室内換気システム。
【請求項３】
前記制御手段が、前記機器停止環境悪化状態の継続時間が、前記室内に対する前記換気装置による名目換気時間に達した場合に、前記換気不良診断処理を実行する請求項１又は２に記載の室内換気システム。
【請求項４】
前記制御手段が、前記機器停止環境悪化状態の継続時間を逐次リセットしながら当該継続時間が前記名目換気時間に到達する毎に前記換気不良診断処理を繰り返し実行すると共に、前記注意報の連続出力回数が所定の設定出力回数に達した場合に、前記注意報とは別の所定の警報を出力する請求項３に記載の室内換気システム。
【請求項５】
前記制御手段が、前記換気装置の作動を制御するにあたり、前記室内環境判定手段により前記室内環境が悪化状態であると判定した場合には前記換気装置を最大換気量で作動させる最大換気運転を実行し、前記室内環境判定手段により前記室内環境が悪化状態でないと判定した場合には前記換気装置の換気量を前記機器の作動状態に追従させる換気量追従運転を実行する請求項１〜４の何れか１項に記載の室内換気システム。
【請求項６】
前記機器が、作動に伴ってガスを燃焼させて加熱調理を行うガス加熱調理機器であり、
前記室内の煙を検知する煙センサを備え、
前記室内環境判定手段が、前記煙センサで煙を検知したことを前記室内環境が悪化状態であるとして判定する請求項１〜５の何れか１項に記載の室内換気システム。
【請求項７】
前記機器が、作動に伴って加熱調理を行う加熱調理機器であり、
前記加熱調理機器の加熱部の温度を検知する温度センサを備え、
前記機器作動判定手段が、前記温度センサで検知した前記加熱部の温度が所定の作動温度以上となったことを前記加熱調理機器の作動として判定する請求項１〜６の何れか１項に記載の室内換気システム。
【請求項８】
作動に伴って室内環境の悪化を促進させる機器を設置した室内の換気を行う換気装置と、
前記機器の作動を判定する機器作動判定手段と、
前記室内環境の悪化状態を判定する室内環境判定手段とを備えた室内換気システムにおいて、
前記機器作動判定手段及び前記室内環境判定手段の判定結果に基づいて、前記換気装置の作動を制御する室内換気システムの制御方法であって、
前記換気装置の作動中において、前記機器作動判定手段及び前記室内環境判定手段により前記機器が作動しておらず且つ前記室内環境が悪化状態である機器停止環境悪化状態であると判定した場合に、前記換気装置の換気不良の発生を診断して所定の注意報を出力する換気不良診断処理を実行する室内換気システムの制御方法。
【発明の詳細な説明】
【技術分野】
【０００１】
本発明は、作動に伴って室内環境の悪化を促進させる機器を設置した室内の換気を行う換気装置と、前記機器の作動を判定する機器作動判定手段と、前記室内環境の悪化状態を判定する室内環境判定手段とを備えた室内換気システム及びその制御方法に関する。
【背景技術】
【０００２】
ガスコンロなどのガス加熱調理機器は、作動に伴ってガスを燃焼させて加熱調理を行うが、その作動により、ガスの燃焼由来の高温の排ガスや調理由来の油煙などを発生して、室内環境の悪化を促進させる。このように作動に伴って室内環境の悪化を促進させる機器を室内に配置する場合には、換気装置により室内換気を十分に行う必要がある。
そこで、従来の換気装置を備える室内換気システムとして、換気装置の作動を機器や室内環境の状態に応じて自動制御することで、効率的な換気を試みるものが知られている（例えば特許文献１及び２を参照。）。
【０００３】
例えば、特許文献１に記載の室内換気システムは、ガスコンロと換気装置との作動状態から室内における煙などによる室内環境の悪化状態であるか否かを推定し、その推定結果に基づいて換気装置の換気量を制御して、室内の換気を効果的に行うように構成されている。
一方、特許文献２に記載の室内換気システムは、ガスコンロのガス排出量に基づいて換気装置の換気量を制御することで室内の気圧を適度な負圧状態に保ちながら、室内の煙を検知した場合にはその換気量を増加させて速やかに煙を排除するように構成されている。
【先行技術文献】
【特許文献】
【０００４】
【特許文献１】特開２０１２−１２２６５１号公報
【特許文献２】特開２００３−２０７１８０号公報
【発明の概要】
【発明が解決しようとする課題】
【０００５】
従来の室内換気システムのように、ガスコンロなどの機器の作動状態や煙などによる室内環境の悪化状態に応じて、換気装置の換気量を制御したとしても、換気装置における目詰まり、故障、能力不足などに起因する換気不良により、室内に煙が滞留して、室内環境の悪化状態が十分に解消されない場合があった。このような換気不良は、利用者が通常使用において容易に発見できない場合が多く、定期点検などで発見されるまでの間、室内環境が悪化し続けるという問題があった。
また、このような換気不良による室内環境の悪化を未然に防止するために、換気不良の要因となる目詰まり等の状態変化を直接且つ常時監視する監視装置を設けることが考えられるが、システムの煩雑化や高コスト化を招き、現実的では無かった。
【０００６】
本発明は、かかる点に着目してなされたものであり、その目的は、効率的な換気を実現すべく換気装置の作動を機器や室内環境の状態に応じて自動制御する室内換気システムにおいて、監視装置などの追加の構成を必要とすること無く合理的且つ廉価な構成を採用しながら、換気装置の換気不良を適切に自己診断して、利用者に対して換気不良の要因排除を促し、室内環境の更なる悪化を未然に防止することができる技術を提供する点にある。
【課題を解決するための手段】
【０００７】
この目的を達成するための本発明に係る室内換気システムは、
作動に伴って室内環境の悪化を促進させる機器を設置した室内の換気を行う換気装置と、
前記機器の作動を判定する機器作動判定手段と、
前記室内環境の悪化状態を判定する室内環境判定手段と、
前記機器作動判定手段及び前記室内環境判定手段の判定結果に基づいて、前記換気装置の作動を制御する制御手段と、を備えた室内換気システムであって、
その特徴構成は、
前記制御手段が、前記換気装置の作動中において、前記機器作動判定手段及び前記室内環境判定手段により前記機器が作動しておらず且つ前記室内環境が悪化状態である機器停止環境悪化状態であると判定した場合に、前記換気装置の換気不良の発生を診断して所定の注意報を出力する換気不良診断処理を実行する点にある。
【０００８】
本特徴構成によれば、機器停止環境悪化状態が継続した場合、言い換えれば、機器が作動されていないことで室内環境の悪化の進行が停止している或いは改善が見られない悪化状態において換気装置を継続して作動させていても当該悪化状態が解消されない場合には、換気装置において何らかの換気不良が発生している可能性があると判断して、上記換気不良診断処理を実行することになる。よって、この換気不良診断処理では、利用者に対して換気装置の換気不良の発生について注意喚起を行うための注意報を適宜出力するので、その注意報の出力をきっかけに利用者は、換気不良の要因を排除して室内環境の更なる悪化を未然に防止することができる。
従って、本発明により、効率的な換気を実現すべく換気装置の作動を機器や室内環境の状態に応じて自動制御するにあたり、監視装置などの追加の構成を必要とすること無く合理的且つ廉価な構成を採用しながら、換気装置の換気不良を適切に自己診断して、利用者に対して換気不良の要因排除を促し、室内環境の更なる悪化を未然に防止することができる室内換気システムを実現することができる。
【０００９】
本発明に係る室内換気システムの更なる特徴構成は、
前記制御手段が、前記換気不良診断処理において、前記換気装置を最大換気量で作動させる最大換気運転を実行し、当該最大換気運転の実行時間が所定の設定実行時間に達するまでに前記機器停止環境悪化状態が解消されなかった場合に、前記換気不良が発生していと判断して前記注意報を出力する点にある。
【００１０】
本特徴構成によれば、換気不良診断処理を実行した場合に、常に換気装置の換気不良が発生していると判断して注意報を出力するのでは無く、その換気不良が発生している可能性が高いと判断する場合のみ、当該注意報を出力することができる。
即ち、換気不良診断処理において、換気装置を最大換気量で作動させる最大換気運転の実行を開始してから、換気装置が正常であれば室内環境の悪化状態が解消可能な時間に相当する設定実行時間に達するまでに、機器停止環境悪化状態が解消されなかった場合、言い換えれば、機器の作動が再開されること無く室内環境の悪化状態が解消されなかった場合には、換気装置において換気不良が発生している可能性が高いと判断して上記注意報を出力することができる。
従って、このように注意報を出力した場合には換気不良が発生している可能性が高いことから、注意報に対する利用者の信頼性を向上することができ、注意報が出力された場合には換気装置のフィルタ交換やその他メンテナンスなどを行う必要性が高いことを利用者に認識させて、換気不良の要因排除の動機づけを確実に行うことができる。
【００１１】
本発明に係る室内換気システムの更なる特徴構成は、
前記制御手段が、前記機器停止環境悪化状態の継続時間が、前記室内に対する前記換気装置による名目換気時間に達した場合に、前記換気不良診断処理を実行する点にある。
尚、名目換気時間とは、室内の容積を単位時間あたりの換気量で除した時間、即ち室内を１回換気するのに必要な時間を示す。即ち、名目換気時間は換気回数の逆数となる。
【００１２】
本特徴構成によれば、無用な換気不良診断処理の実施を抑制して、機器や室内環境の状況に応じた効率的な換気運転をできるだけ継続することができる。
即ち、機器停止環境悪化状態の継続時間が上記名目換気時間に達した場合、言い換えれば機器が作動されていないことで環境悪化物質の排出が停止している状態において換気装置を上記名目換気時間が経過するまで継続して作動させても室内環境の悪化状態が解消されない場合には、換気装置において何らかの換気不良が発生している可能性が比較的高いと判断して、換気不良診断処理を実行して注意報を適宜出力し、換気不良の要因排除の動機づけを確実に行うことができる。一方、このような機器停止環境悪化状態の継続時間が名目換気時間に達するまでは、換気不良診断処理を実施すること無く、通常の換気運転を継続して効率的な換気を行うことができる。
【００１３】
本発明に係る室内換気システムの更なる特徴構成は、
前記制御手段が、前記機器停止環境悪化状態の継続時間を逐次リセットしながら当該継続時間が前記名目換気時間に到達する毎に前記換気不良診断処理を繰り返し実行すると共に、前記注意報の連続出力回数が所定の設定出力回数に達した場合に、前記注意報とは別の所定の警報を出力する点にある。
【００１４】
本特徴構成によれば、上述したように機器停止環境悪化状態の継続時間が名目換気時間に達した場合に換気不良診断処理を実行するように構成した場合には、換気不良診断処理の実行毎に機器停止環境悪化状態の継続時間をリセットする形態で、換気不良診断処理を繰り返し実行し、その繰り返し実行される換気不良診断処理において出力された注意報の連続出力回数がカウントされる。そして、その注意報の連続出力回数が、２回以上の所定の設定出力回数に達した場合には、注意報とは別の警報を出力することで、利用者に対して、注意報を出力する場合以上に、早急な換気不良の要因排除の動機づけを行うことができる。
【００１５】
本発明に係る室内換気システムの更なる特徴構成は、
前記制御手段が、前記換気装置の作動を制御するにあたり、前記室内環境判定手段により前記室内環境が悪化状態であると判定した場合には前記換気装置を最大換気量で作動させる最大換気運転を実行し、前記室内環境判定手段により前記室内環境が悪化状態でないと判定した場合には前記換気装置の換気量を前記機器の作動状態に追従させる換気量追従運転を実行する点にある。
【００１６】
本特徴構成によれば、機器と換気装置との作動状態から室内環境の状況を推定し、その推定結果に基づいて換気装置の換気量を制御して、室内の換気を効果的に行うことができる。
即ち、空気環境が悪化状態である場合には、最大換気運転を実行して換気装置を最大換気量で作動させることで、室内環境の悪化をできるだけ早急に改善することができる。
一方、室内環境が悪化状態でない場合には、換気装置の換気量を室内環境の悪化の進行度合いに相当する機器の作動状態に追従させることで、無駄なエネルギーを消費すること無く効率の良い換気を実現することができる。尚、この場合において、機器が作動している場合には、換気装置の換気量を最小換気量で運転しても良いが、更なる省エネルギーを実現するために、機器を停止させることもできる。
【００１７】
本発明に係る室内換気システムの更なる特徴構成は、
前記機器が、作動に伴ってガスを燃焼させて加熱調理を行うガス加熱調理機器であり、
前記室内の煙を検知する煙センサを備え、
前記室内環境判定手段が、前記煙センサで煙を検知したことを前記室内環境が悪化状態であるとして判定する点にある。
【００１８】
本特徴構成によれば、ガス加熱調理機器が設置された厨房などの室内では、かかるガス加熱調理器から、調理由来の油煙が排出されることで室内環境の悪化が進行するため、室内環境判定手段としては、上記煙センサで室内の煙の存在を検知したことを室内環境が悪化状態であるとして判定することができる。そして、この場合においても、これまで説明したものと同様に、効率的な換気を実現すべく換気装置の作動をガス加熱調理機器や煙の状態に応じて自動制御するにあたり、換気装置の換気不良を適切に自己診断することができる。
【００１９】
本発明に係る室内換気システムの更なる特徴構成は、
前記機器が、作動に伴って加熱調理を行う加熱調理機器であり、
前記加熱調理機器の加熱部の温度を検知する温度センサを備え、
前記機器作動判定手段が、前記温度センサで検知した前記加熱部の温度が所定の作動温度以上となったことを前記加熱調理機器の作動として判定する点にある。
【００２０】
本特徴構成によれば、加熱調理機器が設置された厨房などの室内では、かかる加熱調理器の作動状態は加熱部の温度上昇により判定することができるため、機器作動判定手段としては、上記温度センサで検知した加熱部の温度が作動温度以上に上昇したことを加熱調理機器の作動として判定することができる。そして、この場合においても、これまで説明したものと同様に、効率的な換気を実現すべく換気装置の作動をガス加熱調理機器や室内環境の状態に応じて自動制御するにあたり、換気装置の換気不良を適切に自己診断することができる。
【００２１】
この目的を達成するための本発明に係る室内換気システムの制御方法は、
作動に伴って室内環境の悪化を促進させる機器を設置した室内の換気を行う換気装置と、
前記機器の作動を判定する機器作動判定手段と、
前記室内環境の悪化状態を判定する室内環境判定手段とを備えた室内換気システムにおいて、
前記機器作動判定手段及び前記室内環境判定手段の判定結果に基づいて、前記換気装置の作動を制御する室内換気システムの制御方法であって、
その特徴構成は、
前記換気装置の作動中において、前記機器作動判定手段及び前記室内環境判定手段により前記機器が作動しておらず且つ前記室内環境が悪化状態である機器停止環境悪化状態であると判定した場合に、前記換気装置の換気不良の発生を診断して所定の注意報を出力する換気不良診断処理を実行する点にある。
【００２２】
即ち、本発明に係る室内換気システムの制御方法は、これまで説明した本発明に係る室内換気システムの制御手段が実行する制御方法であるから、当該本発明に係る室内換気システムについて説明したものと同様の作用効果を奏する。
【図面の簡単な説明】
【００２３】
【図１】室内換気システムが設けられた室内の様子を示す斜視図
【図２】室内換気システムの概略構成図
【図３】操作パネルを示す図
【図４】制御装置に対する接続状態を示すブロック図
【図５】自動運転の処理フロー図
【図６】換気不良診断処理の処理フロー図
【発明を実施するための形態】
【００２４】
本発明に係る室内換気システム及びその制御方法の実施形態について、図面に基づいて説明する。
【００２５】
（基本構成）
先ず、本実施形態に係る室内換気システムの基本構成について、図１〜図４に基づいて説明する。
室内換気システムは、図１及び図２に示すように、作動に伴ってガスを燃焼させて加熱調理を行うガスコンロ１０（ガス加熱調理機器の一例）が設置された台所や厨房などの室内１に配置されており、コンピュータからなる制御装置３０により室内１の換気を行う換気装置２０の作動を制御して、効率的な換気を実現するシステムとして設置されている。
【００２６】
具体的に、ガスコンロ１０は、公知のものと同様の構成を有しており、天板上に配置あれた複数のバーナ部１１（加熱部の一例）の夫々においてガスを燃焼させる形態で作動して、加熱調理を行うように構成されている。即ち、かかるガスコンロ１０は、作動に伴って、ガスの燃焼由来の高温の排ガスや調理由来の油煙などのように室内環境を悪化させる環境悪化物質を排出する機器であると言える。
【００２７】
換気装置２０は、公知の台所用換気装置と同様の構成を有しており、ガスコンロ１０の上部に配置された換気フード２３と、その換気フード２３内の壁部に配置された換気扇２１と、その換気扇２１を回転駆動するモータなどの換気扇駆動モータ２２と、換気フード２３に流入した空気を濾過するフィルタ２５とから構成され、換気扇駆動モータ２２により換気扇２１を回転させて、換気フード２３に流入してフィルタ２５により濾過された空気を屋外に排出する形態で作動する。
また、この換気扇駆動モータ２２は、図２及び図４に示すように、無線形式又は有線形式の通信線により、制御装置３０との間で信号の授受が可能に構成されている。これにより制御装置３０は、換気扇駆動モータ２２の作動・停止の切り替えを行うことができ、更には、換気扇駆動モータ２２の回転速度を調整することで換気装置２０の換気量を調整することができる。
【００２８】
図２に示すように、換気フード２３の内部には、制御装置３０が設けられており、更に、その前面側には、当該制御装置３０との間で所定の信号の入出力が可能な操作パネル４０が設けられている。
この操作パネル４０には、図３に示すように、左側から順に、換気装置２０の自動運転を開始するための自動スイッチ４１、換気装置２０の換気量を最大換気量に固定する強運転を利用者が手動で開始するための強スイッチ４２、換気装置２０の換気量を最大換気量よりも小さい所定の部分換気量に固定する弱運転を利用者が手動で開始するための弱スイッチ４３、換気装置２０の作動を利用が手動で停止するための切スイッチ４４、利用者に対して注意報を視覚的に報知するためのＬＥＤからなるフィルタ確認ランプ４５、利用者に対して警報を視覚的に報知するための故障ランプ４６、利用者に対して注意報や警報を聴覚的に報知するためのスピーカ４７が配置されている。
【００２９】
また、図４に示すように、この操作パネル４０に設けられた各種スイッチ４１〜４４、各種ランプ４５、４６、並びにスピーカ４７は、無線形式又は有線形式の通信線により、制御装置３０との間で信号の授受が可能に構成されている。これにより、制御装置３０は、各種スイッチ４１〜４２に対する利用者による押圧操作を認識することができ、また、各種ランプ４５、４６の点灯・消灯の切り替え、並びに、スピーカ４７による所定の音声信号の出力を行うことができる。
【００３０】
制御装置３０は、利用者に対して換気装置２０のフィルタ２５の目詰まりや故障等についての所定の注意喚起を行うために、操作パネル４０の各種ランプ４５、４６及びスピーカ４７を利用して、後述する所定の注意報や警報を出力するように構成されている。
例えば、制御装置３０が注意報を出力する場合には、フィルタ確認ランプ４５を点灯させると共に、スピーカ４７から「フィルタを交換してください。」などの音声案内を出力することができる。
一方、制御装置３０が警報を出力する場合には、故障ランプ４６を点灯させると共に、スピーカ４７から「故障の可能性があります。メンテナンスを行ってください。」などの音声案内を出力することができる。
【００３１】
そして、制御装置３０は、所定のプログラムを実行することで、換気装置２０の作動を制御する制御手段３３として機能し、かかる制御手段３３は、利用者の操作パネル４０の操作に基づいて、換気装置２０の作動を調整する手動運転を実行可能に構成されている。
具体的に、制御手段３３は、手動運転において、操作パネル４０の強スイッチ４２が押圧操作された場合には、換気装置２０を所定の強換気量で作動させる強換気運転を実行し、操作パネル４０の弱スイッチ４３が押圧操作された場合には、換気装置２０を上記強換気量よりも小さい所定の弱換気量で作動させる弱換気運転を実行する。また、制御装置３０は、操作パネル４０の切スイッチ４４が押圧操作される切操作が入力された場合には、換気装置２０を停止させる。
【００３２】
図１及び図２に示すように、ガスコンロ１０の上部の後壁部には、当該ガスコンロ１０における夫々のバーナ部１１の温度を検知する赤外線式の温度センサ５０が設けられており、更に、室内１においてガスコンロ１０よりも少し離れた箇所の天井部に設置され煙濃度を検知する煙センサ６０が設けられている。尚、このガスコンロ１０と煙センサ６０との距離は、近すぎると、ガスコンロ１０で少しの煙が発生しても煙センサ６０が無用に煙を検知することになってしまうので、室内１において広く滞留する煙を正確に検知することができなくなるという問題があり、一方遠すぎると、ガスコンロ１０で比較的多量の煙が発生しても煙センサ６０でその煙を検知できないという問題があるため、これら問題を考慮して、適当な距離（例えば０．５ｍ〜１．５ｍ）に設定される。
【００３３】
また、この温度センサ５０及び煙センサ６０は、図４も参照して、無線形式又は有線形式の通信線により、制御装置３０との間で信号の授受が可能に構成されている。これにより、制御装置３０は、温度センサ５０で検知されたバーナ部１１の温度を取得することができ、また、煙センサ６０で検知された室内１の煙濃度を取得することができる。
そして、制御装置３０は、温度センサ５０及び煙センサ６０の検知結果を利用して、ガスコンロ１０の作動状態を判定する機器作動判定手段３１と、室内１の空気環境状態を判定する室内環境判定手段３２として機能する。
【００３４】
機器作動判定手段３１は、温度センサ５０で検知されたバーナ部１１の温度が火炎温度よりも若干低めに設定された所定の作動温度以上になった場合に、ガスコンロ１０における何れかのバーナ部１１でガスの燃焼が開始されたとして、ガスコンロ１０が作動したと判定する。一方、温度センサ５０で検知された温度が同作動温度未満になった場合には、ガスコンロ１０における夫々のバーナ部１１でガスの燃焼が停止したとして、ガスコンロ１０が作動していないと判定する。
室内環境判定手段３２は、煙センサ６０で検知された室内１の煙濃度が閾値以上になった場合に、室内１に煙が存在しているとして、室内環境が悪化状態であると判定する。一方、煙センサ６０で検知された煙濃度が閾値未満になった場合には、室内１に煙が存在していないとして、室内環境が悪化状態でないと判定する。
そして、制御装置３０は、上述した手動運転とは別に、操作パネル４０の自動スイッチ４１が押圧操作された場合には、これら機器作動判定手段３１及び室内環境判定手段３２の判定結果に基づいて、換気装置２０の作動を制御する自動運転を実行可能に構成されている。
【００３５】
（自動運転）
次に、この制御手段３３により実行される自動運転の処理フローについて図５に基づいて説明する。
尚、本制御フローにおいて、変数ｔ０、ｔ１、ｔ２は、０にリセット可能な状態でタイマにより計測される時間であり、ｔ１は、機器作動判定手段３１によりガスコンロ１０が連続して作動されていないと判定しているコンロ停止状態の継続時間であるコンロ停止状態継続時間を示し、ｔ２は、機器作動判定手段３１によりガスコンロ１０が連続して作動されていないと判定し且つ室内環境判定手段３２により室内環境が連続して悪化状態であると判定しているコンロ停止環境悪化状態の継続時間であるコンロ停止環境悪化状態継続時間を示し、ｔ３は、換気装置２０を最大換気量で作動させる最大換気運転を連続して実行している時間である最大換気運転実行時間を示す。また、変数ｎは、所定の注意報を連続して出力した回数である注意報連続出力回数を示す。
また、以下に説明する自動運転の制御フローは、制御手段３３により、操作パネル４０の自動スイッチ４１が押圧操作されたときに開始され、操作パネル４０の切スイッチ４４が押圧操作される切操作が入力されるまで（ステップ＃１５）、繰り返し実行される。
【００３６】
自動スイッチ４１が押圧操作されて自動運転が開始されると、換気装置２０の作動を制御するにあたり、室内環境判定手段３２により室内環境が悪化状態であると判定された場合には（ステップ＃１１のｙｅｓ側）、室内環境の悪化をできるだけ早急に改善するべく、換気装置２０を最大換気量で作動させる最大換気運転が実行される（ステップ＃１２）。
一方、室内環境判定手段３２により室内環境が悪化状態でないと判定された場合には（ステップ＃１１のｎｏ側）、無駄なエネルギーを消費すること無く効率の良い換気を実現するべく、換気装置２０の換気量を室内環境の悪化の進行度合いに相当するガスコンロ１０の作動状態に追従させる換気量追従運転が実行される（ステップ＃２３〜ステップ＃２６）。
ここで、ステップ＃１１において、室内環境が悪化状態でないと判定された場合には、上述したコンロ停止環境悪化状態が解消されたとしてコンロ停止環境悪化状態継続時間ｔ１が０にリセットされ、また、後述する注意報の連続出力がされなくなったとして注意報連続出力回数が０にリセットされる（ステップ＃２２）。
【００３７】
また、この換気量追従運転では、ガスコンロ１０が作動していると判定された場合には（ステップ＃２３のｙｅｓ側）、換気装置２０が作動された状態でその換気量がガスコンロ１０の火力に比例するように制御される。尚、ガスコンロ１０の火力は、温度センサ５０で検知されるガスコンロ１０における夫々のバーナ部１１の温度から推定される。
また、ガスコンロ１０が作動していないと判定された場合には（ステップ＃２３のｎｏ側）、換気装置２０が停止される（ステップ＃２６）。
ここで、ステップ＃２３において、ガスコンロ１０が作動されていないと判定された場合は、コンロ停止状態が解消されたとして、コンロ停止状態継続時間ｔ０が０にリセットされる。
【００３８】
室内環境が悪化状態であると判定され（ステップ＃１１のｙｅｓ側）、最大換気運転が実行された場合において（ステップ＃１２）、ガスコンロ１０が作動していると判定された場合には（ステップ＃１３のｙｅｓ側）には、室内環境の悪化はガスコンロ１０の作動に起因するものであるとして、注意報又は警報等が出力されること無く、ステップ＃１５に進む。
ここで、ガスコンロ１０が作動していると判定された場合には（ステップ＃１３のｙｅｓ側）には、コンロ停止環境悪化状態が解消されたとしてコンロ停止環境悪化状態継続時間ｔ１が０にリセットされると共に、コンロ停止状態が解消されたとしてコンロ停止状態継続時間ｔ０が０にリセットされ、更に、後述する注意報の連続出力がされなくなったとして注意報連続出力回数が０にリセットされる（ステップ＃１４）。
【００３９】
一方、室内環境が悪化状態であると判定され（ステップ＃１１のｙｅｓ側）、最大換気運転が実行された場合において（ステップ＃１２）、ガスコンロ１０が作動していないと判定された場合には（ステップ＃１３のｎｏ側）、即時警報を出力するか否かを判定するための所定の判定処理（ステップ＃１６）が実行される。
即ち、この判定処理（ステップ＃１６）において、コンロ停止状態継続時間ｔ０が所定の判定時間Ｔａ（例えば１時間〜数時間）以上であり、且つ、コンロ停止環境悪化状態継続時間ｔ１が所定の判定時間Ｔｂ（例えば１分〜１０分）以上であると判定された場合には（ステップ＃１６のｙｅｓ側）、故障ランプ４６を点灯すると共にスピーカ４７から所定の音声案内を出力する形態で、警報が出力される（ステップ＃１７）。
【００４０】
即ち、ガスコンロ１０が停止している状態が例えば１時間〜数時間継続しているときに、室内１に煙が存在して室内環境が悪化状態である状態が例えば１分〜１０分継続した場合には、温度センサ５０の故障などによりガスコンロ１０の作動状態を正確に判定できていない状態である可能性が高いと判断して、警報が出力されることになり、利用者に対してメンテナンスの動機づけが行われることになる。
また、このように警報が出力された場合には（ステップ＃１７）、切スイッチ４４の長押し操作などによるリセット操作が入力されるまでの間は（ステップ＃１８）、換気装置２０の換気量を最大に設定する最大換気運転を継続した状態で待機する。
【００４１】
一方、ステップ＃１６の判定処理において、コンロ停止状態継続時間ｔ０が判定時間Ｔａ未満又はコンロ停止環境悪化状態継続時間ｔ１が判定時間Ｔｂ未満と判定された場合には（ステップ＃１６のｎｏ側）、コンロ停止環境悪化状態継続時間ｔ１が判定時間Ｔｂよりも長い所定の判定時間Ｔｖ以上であるか否かが判定される（ステップ＃２０）。
この判定時間Ｔｖは、室内１の容積を単位時間あたりの換気量で除した時間、即ち室内１を１回換気するのに必要な時間を示す名目換気時間又はその近傍の時間とされており、例えば２０分程度に設定されている。
【００４２】
ステップ＃２０の判定処理において、コンロ停止環境悪化状態継続時間ｔ１が判定時間Ｔｖ以上継続していると判定された場合（ステップ＃２０のｙｅｓ側）、即ち、ガスコンロ１０が作動されていないことで室内環境の悪化の進行が停止している状態において換気装置２０を継続して作動させていても室内環境の悪化状態が解消されない場合には、直ぐに注意報又は警報が出力されるのでは無く、換気装置２０の換気不良の発生を診断して所定の注意報を適宜出力するための換気不良診断処理が実行される（ステップ＃２１）。
即ち、コンロ停止環境悪化状態継続時間ｔ１が名目換気時間に相当する判定時間Ｔｖに達した場合、言い換えればガスコンロ１０が作動されていないことで環境悪化物質の排出が停止している状態において換気装置２０を上記判定時間Ｔｖが経過するまで継続して作動させても室内環境の悪化状態が解消されない場合には、換気装置２０において何らかの換気不良が発生している可能性が比較的高いと判断して、換気不良診断処理が実行される。
【００４３】
一方、ステップ＃２０の判定処理において、コンロ停止環境悪化状態継続時間ｔ１が判定時間Ｔｖ未満であると判定された場合には（ステップ＃２０のｎｏ側）、換気装置２０の換気不良が無いとして、ステップ＃１５に進む。即ち、コンロ停止環境悪化状態が解消された場合には、無用な換気不良診断処理の実施を回避して、ガスコンロ１０や室内環境の状況に応じた効率的な換気運転が継続される。
【００４４】
（換気不良診断処理）
次に、上記ステップ＃２１で実行される換気不良診断処理の処理フローについて、図６に基づいて説明する。
換気不良診断処理の実行が開始されると、一旦最大換気運転実行時間ｔ２がリセットされ（ステップ＃３１）、換気装置２０を最大換気量で作動させる最大換気運転の実行が維持された状態で（ステップ＃３２）、最大換気運転実行時間ｔ２の計測が開始される。
【００４５】
そして、最大換気運転実行時間ｔ２が所定の設定実行時間Ｔｃに達するまでに（ステップ＃３５）、ガスコンロ１０が作動したと判定された場合には（ステップ＃３３のｙｅｓ側）、コンロ停止環境悪化状態が解消されたとして、注意報又は警報が出力されること無く、本換気不良診断処理が終了される。尚、この設定実行時間Ｔｃは、換気装置２０が正常であれば室内環境の悪化状態が解消可能な時間に相当し、例えば、名目換気時間に相当する判定時間Ｔｖの１／４〜１倍の時間として設定される。
【００４６】
また、最大換気運転実行時間ｔ２が設定実行時間Ｔｃに達するまでに（ステップ＃３５）、室内環境の悪化状態が解消したと判定された場合には（ステップ＃３４のｎｏ側）、コンロ停止環境悪化状態が解消されたとして、フィルタ確認ランプ４５や故障ランプ４６を消灯する形態でこれまで出力した注意報や警報の出力が停止され（ステップ＃４１）、更には注意報連続出力回数ｎが０にリセットされた上で（ステップ＃４２）、本換気不良診断処理が終了される。
【００４７】
しかし、最大換気運転実行時間ｔ２が設定実行時間Ｔｃに達するまでに、コンロ停止環境悪化状態が解消されなかった場合には（ステップ＃３５のｙｅｓ側）、換気装置２０の換気不良が発生している可能性が高いと判断して、注意報及び警報の何れかが出力されて、利用者に対して換気装置２０の換気不良の発生について注意喚起を行うことで当該換気不良の要因の排除を促し、室内環境の更なる悪化を未然に防止する。
【００４８】
具体的には、コンロ停止環境悪化状態が解消されなかった場合において（ステップ＃３５のｙｅｓ側）、注意報連続出力回数ｎが所定の設定回数Ｎａ（例えば２〜６回）以下であるときには（ステップ＃３６のｙｅｓ側）、フィルタ確認ランプ４５を点灯させてスピーカ４７から所定の音声案内を出力する形態で、注意報が出力される（ステップ＃３７）。
一方、コンロ停止環境悪化状態が解消されなかった場合において（ステップ＃３５のｙｅｓ側）、注意報連続出力回数ｎが同設定回数Ｎａを超えるときには（ステップ＃３６のｎｏ側）、上述したような故障ランプ４６を点灯させてスピーカ４７から所定の音声案内を出力する形態で、警報が出力される（ステップ＃３９）。
【００４９】
上記ステップ＃３７で注意報が出力された場合には、注意報連続出力回数ｎが１回繰り上げられて（ステップ＃３８）、本換気不良診断処理が終了される。
また、このように警報が出力された場合には（ステップ＃３９）、切スイッチ４４の長押し操作などによるリセット操作が入力されるまでの間は（ステップ＃４０）、換気装置２０の換気量を最大に設定する最大換気運転を継続した状態で待機する。
また、リセット操作が入力された場合には（ステップ＃４０のｙｅｓ側）、フィルタ確認ランプ４５や故障ランプ４６を消灯する形態でこれまで出力した注意報や警報の出力が停止され（ステップ＃４１）、更には注意報連続出力回数ｎが０にリセットされた上で（ステップ＃４２）、本換気不良診断処理が終了される。
【００５０】
〔その他の実施形態〕
最後に、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
（１）上記実施形態では、作動に伴って室内環境の悪化を促進させる機器として、ガスコンロ１０を採用した例を示したが、別に、かかる機器として、作動に伴ってガスを燃焼させて加熱調理を行うガスオーブンなどのガス加熱調理機器や、また、作動に伴って加熱調理を行う電気コンロなどに適用しても構わない。
【００５１】
（２）上記実施形態では、室内環境判定手段３２を、煙センサ６０で煙を検知したことを室内環境が悪化状態であるとして判定するように構成したが、室内１に設けられた温度センサで所定温度（例えば４０℃）以上の温度を検知したことを室内環境が悪化状態であるとして判定するなど、別の構成を採用することもできる。
【００５２】
（３）上記実施形態では、機器作動判定手段３１を、温度センサ５０で検知したガスコンロ１０のバーナ部１１の温度が所定の作動温度以上となったことをガスコンロ１０の作動として判定するように構成したが、例えば、ガスコンロ１０のガス供給弁の開閉状態や開度などのような、当該ガスコンロ１０の作動状態を示す信号を直接取得して、ガスコンロ１０の作動状態を判定するように構成しても構わない。
【００５３】
（４）上記実施形態では、図５のステップ＃２０において、コンロ停止環境悪化状態継続時間ｔ１が判定時間Ｔｖ以上になったときのみ換気不良診断処理を実行するように構成したが、別に、コンロ停止環境悪化状態となった場合に常に換気不良診断処理を実行するように構成しても構わない。
【００５４】
（５）上記実施形態では、室内環境判定手段３２を、煙センサ６０で検知された室内１の煙濃度が閾値以上になった場合に室内環境が悪化状態であると判定するように構成したが、例えば、煙濃度が増加傾向にあるときに室内環境が悪化状態であると判定し、一方、煙濃度が減少傾向にあるときに室内環境が悪化状態でないと判定するなど、別の形態で室内環境の悪化状態を判定するように構成しても構わない。
【産業上の利用可能性】
【００５５】
本発明は、作動に伴って室内環境の悪化を促進させる機器を設置した室内（厨房室内）の換気を行う換気装置と、前記機器の作動を判定する機器作動判定手段と、
前記室内環境の悪化状態を判定する室内環境判定手段とを備え、前記機器作動判定手段及び前記室内環境判定手段の判定結果に基づいて、前記換気装置の作動を制御する制御手段とを備えた室内換気システム及びその制御方法として好適に利用可能である。
【符号の説明】
【００５６】
１        ：室内
１０      ：ガスコンロ（機器）
１１      ：バーナ部（加熱部）
２０      ：換気装置
３１      ：機器作動判定手段
３２      ：室内環境判定手段
３３      ：制御手段
５０      ：温度センサ
６０      ：煙センサ
Ｎａ      ：設定回数（連続出力回数）
Ｔｃ      ：設定実行時間
Ｔｖ      ：判定時間（名目換気時間）
ｎ        ：注意報連続出力回数
ｔ１      ：コンロ停止環境悪化状態継続時間（機器停止悪化状態継続時間）
【図１】
2014238224.tif 000003
【図２】
2014238224.tif 000004
【図３】
2014238224.tif 000005
【図４】
2014238224.tif 000006
【図５】
2014238224.tif 000007
【図６】
2014238224.tif 000008